(57)【要約】【課題】  中耐圧プロセスで製造可能としながら、液晶パネルに接続するフレキシブルプリント基板でコモン電極電圧の生成に必要な端子数をより削減する。【解決手段】  表示対象となる液晶パネルのコモン電極電圧生成用の電源電圧ＶＶＣＯＭとＧＮＤレベルとに応じて交流のコモン電極電圧ＶＣＯＭを生成するＶＣＯＭ回路５６と、ＶＣＯＭ回路５６で生成したコモン電極電圧ＶＣＯＭを液晶パネルに供給する供給手段と、ＶＣＯＭ回路５６で生成したコモン電極電圧ＶＣＯＭの値に応じて上記液晶パネルに供給する階調表示信号を可変するマルチプレクサ部５３及びガンマ回路５１とを備える。【選択図】      図２
2010008952.tif 000002
【特許請求の範囲】
【請求項１】
表示対象となる液晶パネルのコモン電極電圧生成用の電源電圧と接地レベルとに応じて交流のコモン電極電圧を生成し、上記液晶パネルに供給するコモン電極電圧生成手段と、
上記コモン電極電圧生成手段で生成したコモン電極電圧の値に応じて上記液晶パネルに供給する階調表示信号を可変する階調調整手段と
を具備したことを特徴とする液晶表示装置。
【請求項２】
上記コモン電極電圧生成手段は、コモン電極電圧の振幅を可変し、
上記階調調整手段は、上記振幅を可変したコモン電極電圧の値に応じて階調表示信号の駆動電圧範囲全域をシフトする
ことを特徴とする請求項１記載の液晶表示装置。
【請求項３】
上記階調調整手段は、上記コモン電極電圧生成手段が生成する交流のコモン電極電圧の中心電圧と、階調表示信号の中心電圧との差を調整して画素電圧シフト量ΔＶを可変することを特徴とする請求項１記載の液晶表示装置。
【請求項４】
上記階調調整手段は、上記コモン電極電圧の値に応じた階調表示信号の駆動電圧範囲を可変してコントラストを調整することを特徴とする請求項１記載の液晶表示装置。
【請求項５】
表示対象となる液晶パネルのコモン電極電圧生成用の電源電圧と接地レベルとに応じて交流のコモン電極電圧を生成し、液晶パネルに供給するコモン電極電圧生成工程と、
上記コモン電極電圧生成工程で生成したコモン電極電圧の値に応じて上記液晶パネルに供給する階調表示信号を可変する階調調整工程と
を有したことを特徴とする液晶表示方法。
【発明の詳細な説明】
【技術分野】
【０００１】
本発明は、液晶パネル周辺の接続端子数が制限される各種携帯電子機器等に好適な液晶表示装置及び液晶表示方法に関する。
【背景技術】
【０００２】
従来より、液晶パネルに接続するＦＰＣ（フレキシブル印刷基板）の接続端子数をできうる限り少なくすることで、ＦＰＣのコストや、同ＦＰＣ用のコネクタのコストを削減する試みがなされてきた。
【０００３】
図７及び図８は現状のＦＰＣ周辺の主としてコモン電極電圧ＶＣＯＭの伝送に示す端子構造を例示する図である。  
図７は、表示対象の液晶表示（ＬＣＤ）パネルとドライバ回路とをＦＰＣ（フレキシブル印刷基板）を介して接続する通常のカップリング方式の、主としてコモン電極電圧ＶＣＯＭの供給に関する接続構造を示す。
【０００４】
同図で、ドライバ回路１０側のアンプ１１より供給される電源電圧ＶＶＣＯＭを端子ｔ１１に与えると共に、マイナス電源を接地したバッファアンプ１２のプラス電源として与え、その出力を電圧ＣＯＭＯＵＴとして端子ｔ１２に与える。
【０００５】
また、同ドライバ回路１０側のアンプ１３より供給される電圧ＣＯＭＤＣを端子ｔ１３に与える。
【０００６】
上記端子ｔ１１はＦＰＣ２０側の端子ｔ２１と接続し、電圧ＶＶＣＯＭを、一端が接地されたコンデンサＣ２１の他端に印加する。
【０００７】
上記端子ｔ１２はＦＰＣ２０側の端子ｔ２２と接続し、電圧ＣＯＭＯＵＴをコンデンサＣ２２の一端に印加する。
【０００８】
上記端子ｔ１３はＦＰＣ２０側の端子ｔ２３と接続し、電圧ＣＯＭＤＣを抵抗Ｒ２３の一端に印加する。
【０００９】
上記コンデンサＣ２１，Ｃ２２及び抵抗Ｒ２３は、いずれもチップ化されたドライバ回路１０の外付け部品としてＦＰＣ２０上に実装される。
【００１０】
しかして、コンデンサＣ２２の他端と抵抗Ｒ２３の他端とを接続することで、コンデンサＣ２２を介して直流分が除去した電圧ＣＯＭＯＵＴに対し、抵抗Ｒ２３を介した電圧ＣＯＭＤＣでバイアスしてコモン電極用の電圧ＶＣＯＭを生成するもので、生成した電圧ＶＣＯＭを端子２４を介してＬＣＤパネルに供給する。
【００１１】
以上、カップリング方式のＦＰＣ２０では、コモン電極電圧ＶＣＯＭの生成と伝送に必要な端子数が４となる。
【００１２】
図８は、表示対象の液晶表示（ＬＣＤ）パネルの端部に直接ドライバ回路を配設し、ＦＰＣ（フレキシブル印刷基板）を介して外付け部品を実装するＨ／Ｌ電源作成方式の、主としてコモン電極電圧ＶＣＯＭの供給に関する接続構造を示す。
【００１３】
同図で、ドライバ回路３０側のアンプ３１より供給される電源電圧ＶＣＯＭＨを端子ｔ３１に与えると共に、バッファアンプ３２のプラス電源として与える。
【００１４】
また、同ドライバ回路１０側のアンプ３３より供給される電源電圧ＶＣＯＭＬを端子ｔ３３に与えると共に、バッファアンプ３２のマイナス電源として与える。
【００１５】
上記端子ｔ３１はＦＰＣ４０側の端子ｔ４１と接続し、電圧ＶＣＯＭＨを、一端が接地されたコンデンサＣ２１の他端に印加する。
【００１６】
上記端子ｔ３３はＦＰＣ２０側の端子ｔ４２と接続し、電圧ＶＣＯＭＬを、一端が接地されたコンデンサＣ４２の他端に印加する。
【００１７】
しかるに、上記バッファアンプ３３の出力がコモン電極用の電圧ＶＣＯＭとなり、端子ｔ３２を介してＬＣＤパネルに供給する。
【００１８】
加えて、ドライバ回路３０側にはチャージポンプ回路３４が設けられ、このチャージポンプ回路３４用のプラス電源電圧ＣＰ＋を端子ｔ３４に、マイナス電源電圧ＣＰ−を端子ｔ３５に夫々印加すると共に、上記電圧ＶＣＯＭＬ用の負電源電圧ＶＣＬを端子ｔ３６に印加する。
【００１９】
上記端子ｔ３４はＦＰＣ４０側の端子ｔ４３と、上記端子ｔ３５はＦＰＣ４０側の端子ｔ４４とそれぞれ接続し、端子ｔ４３，ｔ４４間にコンデンサＣ４３を接続する。
【００２０】
上記端子ｔ３６はＦＰＣ４０側の端子ｔ４５と接続し、電源電圧ＶＣＬを、一端が接地されたコンデンサＣ４４の他端に印加する。
【００２１】
上記コンデンサＣ４１〜Ｃ４４は、ＬＣＤパネル端部に配設されるチップ化されたドライバ回路３０用の外付け部品として、いずれもＦＰＣ４０上に実装される。
【００２２】
以上、Ｈ／Ｌ電源作成方式のＦＰＣ４０では、コモン電極電圧ＶＣＯＭの生成と伝送に必要な端子数が、上記図７のカップリング方式より多い、５となる。
【００２３】
また、上記コモン電極電圧ＶＣＯＭを直流電圧とすることで、回路に必要な端子を減らすことができるが、その反面、ソース（信号）電極用ドライバの出力が±４［Ｖ］程度必要となり、電源回路の端子が増えると共に、ソース電極用ドライバの回路面積が大きくなり、結果としてはむしろコストの上昇を招く。
【００２４】
さらに、コモン電極電圧ＶＣＯＭの振幅を電圧ＶＶＣＯＭとＧＮＤ（接地）レベルに固定して、ソース電極用ドライバの出力でブライトネス（輝度）、コントラスト、及びΔＶ（液晶画素の寄生容量に応じた画素電圧シフト量）の調整を行なう駆動方式を取ることも考えられるが、このような手法を採った場合、充分な液晶印加電圧を確保できなくなる虞があると共に、ソース電極用ドライバを６．０［Ｖ］より高い耐圧プロセスで製造する必要があり、現実的ではない。
【００２５】
ゲート電極用ドライバ回路の耐圧は３０［Ｖ］程度であり、それより低い耐圧では絶対最大定格が６．０［Ｖ］である中耐圧プロセスで製造するのが一般的となる。液晶印加電圧は、定電圧液晶でも４．５［Ｖ］程度必要であるので、ソース電極用ドライバの出力部分とコモン電極電圧ＶＣＯＭの生成部を共に中耐圧プロセスで製造する場合、コモン電極電圧ＶＣＯＭの生成部には上記図７で示したカップリング方式を採用するのが妥当となる。
【００２６】
また、上記技術とは別に、ＬＣＤパネルに対する信号線を削減することを目的とし、ＡＳＩＣ（カスタムＩＣ）がＬＣＤに伝送する画像データを生成するＬＣＤデータ生成部と、ＬＣＤ内部レジスタアクセス用のシリアル信号を生成するシリアル制御部と、垂直帰線期間を判別するＬＣＤ制御部と、該判別結果に基づいて上記画像データ信号の一部またはシリアル信号を切り替えて出力するセレクタと、該セレクタにより切り替えられた画像データ信号の一部またはシリアル信号をＬＣＤに伝送する複数の信号線とを備え、ＬＣＤは、垂直帰線期間を判別する垂直カウントデコード部と、該判別結果に基づいて、複数の信号線により伝送されてきた信号からシリアル信号を抽出するシリアル信号マスク部とを備えるようにした技術が考えられている。（例えば、特許文献１）
【特許文献１】特開２００６−２４３１６４号公報
【発明の開示】
【発明が解決しようとする課題】
【００２７】
上述した如く図７に示したカップリング方式では、コモン電極電圧ＶＣＯＭの生成と伝送に必要な端子数が４となるが、より端子数を削減することが求められている。
【００２８】
また、上記特許文献１に記載された技術にも、コモン電極電圧ＶＣＯＭの生成と伝送に必要なＦＰＣでの端子数については考慮されておらず、ＦＰＣの端子数を減らすことはできない。
【００２９】
本発明は上記のような実情に鑑みてなされたもので、その目的とするところは、中耐圧プロセスによる製造が可能な、液晶パネルに接続するフレキシブルプリント基板でコモン電極電圧の生成に必要な端子数をより削減できる液晶表示装置及び液晶表示方法を提供することにある。
【課題を解決するための手段】
【００３０】
請求項１記載の発明は、表示対象となる液晶パネルのコモン電極電圧生成用の電源電圧と接地レベルとに応じて交流のコモン電極電圧を生成し、上記液晶パネルに供給するコモン電極電圧生成手段と、上記コモン電極電圧生成手段で生成したコモン電極電圧の値に応じて上記液晶パネルに供給する階調表示信号を可変する階調調整手段とを具備したことを特徴とする。
【００３１】
請求項２記載の発明は、上記請求項１記載の発明において、上記コモン電極電圧生成手段は、コモン電極電圧の振幅を可変し、上記階調調整手段は、上記振幅を可変したコモン電極電圧の値に応じて階調表示信号の駆動電圧範囲全域をシフトすることを特徴とする。
【００３２】
請求項３記載の発明は、上記請求項１記載の発明において、上記階調調整手段は、上記コモン電極電圧生成手段が生成する交流のコモン電極電圧の中心電圧と、階調表示信号の中心電圧との差を調整して画素レベルシフト量ΔＶを可変することを特徴とする。
【００３３】
請求項４記載の発明は、上記請求項１記載の発明において、上記階調調整手段は、上記コモン電極電圧の値に応じた階調表示信号の駆動電圧範囲を可変してコントラストを調整することを特徴とする。
【００３４】
請求項５記載の発明は、表示対象となる液晶パネルのコモン電極電圧生成用の電源電圧と接地レベルとに応じて交流のコモン電極電圧を生成し、液晶パネルに供給するコモン電極電圧生成工程と、上記コモン電極電圧生成工程で生成したコモン電極電圧の値に応じて上記液晶パネルに供給する階調表示信号を可変する階調調整工程とを有したことを特徴とする。
【発明の効果】
【００３５】
本発明によれば、中耐圧プロセスによる製造が可能で、ＬＣＤモジュールに接続するフレキシブルプリント基板でコモン電極電圧の生成に必要な端子数をより削減することが可能となる。
【発明を実施するための最良の形態】
【００３６】
以下本発明に係る液晶表示装置の一実施形態について図面を参照して説明する。
【００３７】
図１は、ＴＦＴ（薄膜トランジスタ）方式の液晶パネルの駆動を行なう表示ドライバとしての液晶表示装置５０の部分的な構成を示すブロック図である。同図で、本液晶表示装置５０は、ガンマ回路５１、ソースドライバ５２、マルチプレクサ部（ＭＵＸ）５３、基準電源回路５４、設定処理回路５５、及びＶＣＯＭ回路５６を有する。
【００３８】
ガンマ回路５１は、マルチプレクサ部５３から与えられる電圧ＶＲＨ１，ＶＲＨ２，ＶＲＬ１，ＶＲＬ２に基づいて例えばＶ０（＝ＧＮＤ）〜Ｖ２５５（＋５．０［Ｖ］）の全２５６階調分の階調電圧信号を生成し、生成した階調電圧信号をソースドライバ５２に対して供給する。ソースドライバ５２は、与えられた階調電圧信号を用い、表示対象となる図示しない液晶パネルのソース電極を駆動する。
【００３９】
マルチプレクサ部５３は、基準電源回路５４から与えられる基準電圧ＶＳＲＥＦを用いて交流駆動のための極性に応じた電圧ＶＲＨ１，ＶＲＨ２，ＶＲＬ１，ＶＲＬ２を上記ガンマ回路５１に与える他、ＶＣＯＭ回路５６にコモン電極電圧ＶＣＯＭ生成用の交流電源電圧ＶＶＣＯＭを生成してＶＣＯＭ回路５６に出力する。
【００４０】
ＶＣＯＭ回路５６は、与えられた交流電源電圧ＶＶＣＯＭに対し、調整用レジスタである上記設定処理回路５５の保持値により振幅が設定されたパルス状の電圧ＣＯＭＯＵＴとし、これをそのままコモン電極電圧ＶＣＯＭとして液晶パネルに供給する。
【００４１】
図２は、上記マルチプレクサ部５３とその周辺の実回路を示す。基準電源回路５４では、基準電圧ＶＳＲＥＦと接地レベルとに応じて、液晶パネルでの表示待機を指示するスタンバイ信号ＳＴＢＹをバッファアンプ６１により反転増幅する。
【００４２】
そして、バッファアンプ６１の出力と接地レベル間を直列接続した５１１本の抵抗により均等に抵抗分割することでＶＣ０（＝ＧＮＤ）からＶＣ５１１に至る５１２段階の電圧値を生成する。
【００４３】
これら生成した電圧が、マルチプレクサ部５３を構成するマルチプレクサ６２Ａ〜６２Ｅでそれぞれ選択される。マルチプレクサ６２Ａが選択した電圧値を電圧ＶＲＬ１とする。マルチプレクサ６２Ｂが選択した電圧値を電圧ＶＲＨ２とする。マルチプレクサ６２Ｃが選択した電圧値を電圧ＶＲＨ１とする。マルチプレクサ６２Ｄが選択した電圧値を電圧ＶＲＬ２とする。
【００４４】
これらマルチプレクサ６２Ａ〜６２Ｄの選択出力に対し、ガンマ回路５１ではスイッチ６３Ａ，６３Ｂにより極性信号ＰＯＬに応じた交流駆動のための選択動作を行なう。  
具体的には、極性信号ＰＯＬがＬｏである時にはマルチプレクサ６２Ａの出力する電圧ＶＲＬ１とマルチプレクサ６２Ｃの出力する電圧ＶＲＨ１を選択する一方で、極性信号ＰＯＬがＨｉである時にはマルチプレクサ６２Ｂの出力する電圧ＶＲＨ２とマルチプレクサ６２Ｄの出力する電圧ＶＲＬ２を選択する。
【００４５】
マルチプレクサ６２Ａの出力する電圧ＶＲＬ１またはマルチプレクサ６２Ｂの出力する電圧ＶＲＨ２が、スイッチ６３Ａを介してガンマアンプ６４Ａで増幅されて電圧Ｖ０となる。
【００４６】
一方、マルチプレクサ６２Ｃの出力する電圧ＶＲＨ１またはマルチプレクサ６２Ｄの出力する電圧ＶＲＬ２が、スイッチ６３Ｂを介してガンマアンプ６４Ｂで増幅されて電圧Ｖ２５５となる。
【００４７】
電圧Ｖ０と電圧Ｖ２５５間に、直列接続された２５５本のガンマ抵抗６５を配置することで、均等に抵抗分割したＶ０からＶ２５５に至る２５６段階の電圧値を生成し、生成した各電圧値を階調電圧生成部６６を経て上記ソースドライバ５２へ供給する。
【００４８】
また、上記マルチプレクサ６２Ｅは、電圧値ＶＣ０〜ＶＣ５１１中から選択した電圧値ＶＣＯＭＡＣをオペアンプ６７の正転入力に与える。同オペアンプ６７は、反転入力にも帰還する出力を、交流の電源電圧ＶＶＣＯＭとする。
【００４９】
この電源電圧ＶＶＣＯＭが、後述するＦＰＣ基板に配設されたコンデンサＣ７１に外付けで接続される一方で、バッファアンプ６８に電源として与えられる。そしてこのバッファアンプ６８の出力であるパルス状の電圧ＣＯＭＯＵＴを、そのままコモン電極電圧ＶＣＯＭとして表示対象の液晶パネルに供給する。
【００５０】
次に図３を用い、上記マルチプレクサ部５３及びＶＣＯＭ回路５６とＦＰＣ７０との接続構成について説明する。  
マルチプレクサ部５３のオペアンプ６７が出力する電源電圧ＶＶＣＯＭが端子ｔ５１に与えられ、同端子ｔ５１はＦＰＣ７０の端子ｔ７１と接続されて、ＦＰＣ７０上に配設された、一端を接地したコンデンサＣ７１の他端と接続される。
【００５１】
また、上記バッファアンプ６８の出力するコモン電極電圧ＶＣＯＭは、端子ｔ５２より図示しない液晶パネルに直接供給される。
【００５２】
上記のような構成にあって、コモン電極電圧ＶＣＯＭはＨｉレベルが電源電圧ＶＶＣＯＭ、ＬｏレベルがＧＮＤ固定とする。これによりブライトネス、画素電圧シフト量ΔＶ、及びコントラストの調整範囲がいずれも著しく狭くなるため、これを補償するべく上記ソースドライバ５２が出力する表示信号のレベルも合わせて調整するものとする。
【００５３】
図４は、コントラストを調整する場合に、マルチプレクサ部５３とガンマ回路５１で作成してソースドライバ５２に出力する階調電圧信号Ｖ０〜Ｖ２５５とコモン電極電圧ＶＣＯＭの関係を示す図である。これらの電圧は０［Ｖ］（＝ＧＮＤ）から＋５［Ｖ］（＝ＶＶＣＯＭ）の範囲内で適宜選択される。  
同図は、左側から、  
（ａ）極性信号ＰＯＬがＬｏレベルの時の階調電圧信号Ｖ０〜Ｖ２５５、  
（ｂ）極性信号ＰＯＬがＨｉレベルの時の階調電圧信号Ｖ０〜Ｖ２５５、  
（ｃ）極性信号ＰＯＬがＬｏレベルの時のコモン電極電圧ＶＣＯＭ、  
（ｄ）極性信号ＰＯＬがＨｉレベルの時のコモン電極電圧ＶＣＯＭ  
を示す。
【００５４】
図示する如く、極性信号ＰＯＬがＬｏレベルの時、階調電圧信号Ｖ０（黒）が電圧ＶＲＬ１、同Ｖ２５５（白）が電圧ＶＲＨ１、コモン電極電圧ＶＣＯＭが＋５［Ｖ］となる。
【００５５】
一方で、極性信号ＰＯＬがＨｉレベルの時、階調電圧信号Ｖ０（黒）が電圧ＶＲＨ２、同Ｖ２５５（白）が電圧ＶＲＬ２、コモン電極電圧ＶＣＯＭが０［Ｖ］となる。
【００５６】
コントラストを上げたい場合には、図中に実線の矢印Ｕで示すように電圧ＶＲＨ１，ＶＲＨ２をより＋５［Ｖ］に近づけるべく上げると共に、電圧ＶＲＬ１，ＶＲＬ２をより０［Ｖ］に近づけるべく下げて、取り得る電圧値の範囲を広げるように表示信号のレベルを設定することにより調整可能となる。
【００５７】
反対にコントラストを下げたい場合には、図中に破線の矢印Ｄで示すように電圧ＶＲＨ１，ＶＲＨ２をより＋５［Ｖ］から遠ざかるべく下げ、電圧ＶＲＬ１，ＶＲＬ２をより０［Ｖ］から遠ざかるべく上げて、取り得る電圧値の範囲を狭めるように表示信号のレベルを設定することにより調整可能となる。
【００５８】
図５は、画素電圧シフト量ΔＶを調整する場合に、マルチプレクサ部５３とガンマ回路５１で作成してソースドライバ５２に出力する階調電圧信号Ｖ０〜Ｖ２５５とコモン電極電圧ＶＣＯＭの関係を示す図である。これらの電圧範囲、及び条件は上記図４と同様である。
【００５９】
図示する如く、画素電圧シフト量ΔＶを上げたい場合には、図中に実線の矢印Ｕで示すように電圧ＶＲＨ１とＶＲＬ１、及び電圧ＶＲＨ２とＶＲＬ２を共に同値だけ＋５［Ｖ］に近づけるべく上げ、取り得る電圧値の範囲の大きさを変えることなく全体を上にシフトするように表示信号のレベルを設定することにより調整可能となる。
【００６０】
反対に画素電圧シフト量ΔＶを下げたい場合には、図中に破線の矢印Ｄで示すように電圧ＶＲＨ１とＶＲＬ１、及び電圧ＶＲＨ２とＶＲＬ２を共に同値だけ０［Ｖ］に近づけるべく下げ、取り得る電圧値の範囲の大きさを変えることなく全体を下にシフトするように表示信号のレベルを設定することにより調整可能となる。
【００６１】
図６は、ブライトネス（輝度）を調整する場合に、マルチプレクサ部５３とガンマ回路５１で作成してソースドライバ５２に出力する階調電圧信号Ｖ０〜Ｖ２５５とコモン電極電圧ＶＣＯＭの関係を示す図である。これらの電圧範囲、及び条件は上記図４と同様である。
【００６２】
図６（Ａ）は、ブライトネス調整の基本的な考え方を示す。図示する如く、ブライトネスを上げたい場合には、図中に実線の矢印Ｕで示すように極性信号ＰＯＬがＬｏレベルの時、電圧ＶＲＨ１とＶＲＬ１を共に同値だけ＋５［Ｖ］に近づけるべく上げ、取り得る電圧値の範囲の大きさを変えることなく全体を上にシフトする一方で、極性信号ＰＯＬがＨｉレベルの時、電圧ＶＲＨ２とＶＲＬ２を共に同値だけ０［Ｖ］に近づけるべく下げ、取り得る電圧値の範囲の大きさを変えることなく全体を下にシフトするように表示信号のレベルを設定する。
【００６３】
図６（Ｂ）に示すように、ブライトネスをあまり高く（明るく）してしまうと、電圧ＶＲＨ１が上限の＋５［Ｖ］に達してしまうこととなる。  
したがって、そのような場合には、コモン電極電圧ＶＣＯＭの振幅を小さくする。その場合、極性信号ＰＯＬがＨｉレベルである時のコモン電極電圧ＶＣＯＭはＧＮＤレベルの０［Ｖ］で固定されているので、極性信号ＰＯＬがＬｏレベルの時のコモン電極電圧ＶＣＯＭの電圧値を低く設定することとなる。
【００６４】
このように単純に一方の極性時のみコモン電極電圧ＶＣＯＭの値を可変すると、当然ながらコモン電極電圧ＶＣＯＭのＬｏレベル時とＨｉレベル時とのセンターとなる値が変わり、画素電圧シフト量ΔＶがずれてしまうこととなる。
【００６５】
したがって、本実施形態では、図６（Ｃ）に示すようにコモン電極電圧ＶＣＯＭの振幅を小さくするのに伴って、コモン電極電圧ＶＣＯＭのセンター電圧値が下がるのに連動して階調電圧信号Ｖ０〜Ｖ２５５も全体に下にシフトさせることで、画素電圧シフト量ΔＶにずれが生じないように制御するものとする。
【００６６】
図６（Ｃ）では、極性信号ＰＯＬがＬｏレベルの時のコモン電極電圧ＶＣＯＭの電圧値を＋５［Ｖ］から＋４［Ｖ］に下げるものとしており、これに伴って極性信号ＰＯＬがＬｏレベルの時の電圧ＶＲＨ１も＋４［Ｖ］となるように、階調電圧信号全体をシフトして下げている。結果として画素電圧シフト量ΔＶにずれは生じない。
【００６７】
以上に述べた如く本実施形態によれば、コモン電極電圧ＶＣＯＭが４．５［Ｖ］程度で表示が可能な液晶パネルが製品化されている現状に適応して、上述した如く本液晶表示装置５０は中耐圧プロセスで製造することが可能であるため、液晶表示装置５０をＬＳＩ化する際のチップサイズを大きくすることなく、且つＶＣＯＭ回路５６とＦＰＣ７０との接続端子数、外付け部品の点数を共に大幅に削減することができる。
【００６８】
加えて、上記コモン電極電圧ＶＣＯＭ生成のための構成を簡略化したことに伴い、コモン電極電圧ＶＣＯＭに応じたブライトネスの調整を可能としたので、実用に即した液晶表示装置を提供できる。
【００６９】
同様に、上記コモン電極電圧ＶＣＯＭ生成のための構成を簡略化したことに伴い、コモン電極電圧ＶＣＯＭに応じたコントラストの調整を可能としたので、実用に即した液晶表示装置を提供できる。
【００７０】
さらに、上記コモン電極電圧ＶＣＯＭ生成のための構成を簡略化したことに伴い、コモン電極電圧ＶＣＯＭに応じた画素電圧シフト量ΔＶの調整を可能としたので、実用に即した液晶表示装置を提供できる。
【００７１】
なお、上記実施形態では、コモン電極電圧ＶＣＯＭに応じたブライトネス、コントラスト、及び画素電圧シフト量ΔＶの調整を個々に行なう場合について説明したが、これらの調整を複数組み合わせて制御を実行することも勿論可能である。
【００７２】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件による適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００７３】
【図１】本発明の一実施形態に係る液晶表示装置の部分構成を示すブロック図。
【図２】同実施形態に係るマルチプレクサ部とその周辺の実回路を示す図。
【図３】同実施形態に係るマルチプレクサ部及びＶＣＯＭ回路とＦＰＣとの接続構成を示す図。
【図４】同実施形態に係るコントラスト調整時の階調電圧信号とコモン電極電圧の内容を例示する図。
【図５】同実施形態に係るΔＶ調整時の階調電圧信号とコモン電極電圧の内容を例示する図。
【図６】同実施形態に係るブライトネス調整時の階調電圧信号とコモン電極電圧の内容を例示する図。
【図７】一般的な液晶パネル用プリント基板と対向電極電圧生成回路とのカップリング方式での接続構成を示す図。
【図８】一般的な液晶パネル用プリント基板と対向電極電圧生成回路とのＨ／Ｌ電源作成方式での接続構成を示す図。
【符号の説明】
【００７４】
１０…ドライバ回路、２０…ＦＰＣ、３０…ドライバ回路、４０…ＦＰＣ、５０…液晶表示装置（表示ドライバ）、５１…ガンマ回路、５２…ソースドライバ、５３…マルチプレクサ部、５４…基準電源回路、５５…設定処理回路、５６…ＶＣＯＭ回路、６１…バッファアンプ、６２Ａ〜６２Ｅ…マルチプレクサ、６３Ａ，６３Ｂ…スイッチ、６４…ガンマアンプ、６５…ガンマ抵抗、６６…階調電圧生成部、６７…オペアンプ、６８…バッファアンプ、７０…ＦＰＣ。
【図１】
2010008952.tif 000003
【図２】
2010008952.tif 000004
【図３】
2010008952.tif 000005
【図４】
2010008952.tif 000006
【図５】
2010008952.tif 000007
【図６】
2010008952.tif 000008
【図７】
2010008952.tif 000009
【図８】
2010008952.tif 000010